(57)【要約】【課題】フリーハンドによる手書き入力で線分を描いた場合でも、表示中の素材画像の周縁部分に対応する線分を表示することができる表示装置を提供する。【解決手段】本発明の表示装置は、手書き入力を受け付けるタッチパネルと、タッチパネルが受け付けた手書き入力に係る情報を表示する表示部と、複数の素材画像データを記憶するデータ記憶部と、複数の素材画像データからいずれかの選択を受け付ける選択受付部と、選択された素材画像データをデータ記憶部から読み出し、読み出した素材画像データに基づく素材画像を表示部に表示する表示制御部とを備える。手書き入力によるタッチパネルへの操作位置が、素材画像の周縁部分から所定範囲内にある場合に、表示制御部は、素材画像の周縁部分に対応する線分を表示する。【選択図】図１２
2018037101.tif 000002
【特許請求の範囲】
【請求項１】
手書き入力を受け付けるタッチパネルと、
前記タッチパネルが受け付けた手書き入力に係る情報を表示する表示部と、
複数の素材画像データを記憶するデータ記憶部と、
前記複数の素材画像データからいずれかの選択を受け付ける選択受付部と、
前記選択された素材画像データを前記データ記憶部から読み出し、前記読み出した素材画像データに基づく素材画像を前記表示部に表示する表示制御部と
を備え、
前記手書き入力による前記タッチパネルへの操作位置が、前記素材画像の周縁部分から所定範囲内にある場合に、前記表示制御部は、前記素材画像の周縁部分に対応する線分を表示する、表示装置。
【請求項２】
所定時間毎に前記操作位置を算出し、前記算出した操作位置が前記素材画像の周縁部分から所定範囲内にあるか否かを判断し、前記判断に応じて前記素材画像の周縁部分に対応する前記線分又は手書き情報を表示する、請求項１に記載の表示装置。
【請求項３】
前記素材画像の周縁部分が直線である、請求項１または請求項２に記載の表示装置。
【請求項４】
手書き入力を受け付けるタッチパネルと、
前記タッチパネルが受け付けた手書き入力に係る情報を表示する表示部と、
複数の素材画像データを記憶するデータ記憶部と、
前記複数の素材画像データからいずれかの選択を複数受け付ける選択受付部と、
前記選択された複数の素材画像データを前記データ記憶部から読み出し、前記読み出した複数の素材画像データに基づく複数の素材画像を前記表示部に表示する表示制御部と
を備え、
前記複数の素材画像のうちから移動指示を受け付けた素材画像が、前記複数の素材画像のうちの他の素材画像に接している場合に、前記表示制御部は、前記他の素材画像の周縁に沿って、前記移動指示を受け付けた素材画像を移動指示された位置まで移動させて表示する、表示装置。
【請求項５】
前記他の素材画像の周縁が直線である、請求項４に記載の表示装置。
【発明の詳細な説明】
【技術分野】
【０００１】
本発明は、タッチパネルを介して手書き入力された情報を表示する表示装置に関する。
【背景技術】
【０００２】
近年、タッチパネル及び表示パネル等を備え、タッチパネルに対してタッチペン又はユーザの指等の操作体にて手書き入力された文字又は絵等の情報を受け付け、受け付けた情報を表示パネルに表示する電子白板システムが提供されている。
電子白板システムには種々の機能が設けられており、例えば特許文献１では、三角定規及び分度器等の仮想画像を表示パネルに表示させる機能を有するシステムが提案されている。特許文献１に開示されたシステムを用いた場合、表示パネルの任意の箇所に三角定規及び分度器等の画像を表示させることができるので、学校及び塾等の教育施設で使用する際の利便性が向上する。
【先行技術文献】
【特許文献】
【０００３】
【特許文献１】特開２０１０−２８４７９７号公報
【発明の概要】
【発明が解決しようとする課題】
【０００４】
しかしながら、特許文献１に開示されたシステムでは、表示パネルに表示される三角定規及び分度器等の大きさは所定の大きさに固定されているので、ユーザが所望する大きさで三角定規及び分度器等を表示できないという問題がある。
【０００５】
本発明はかかる事情に鑑みてなされたものであり、その目的とするところは、三角定規及び分度器等のような素材画像を任意の大きさで表示することが可能な表示装置を提供することにある。
【課題を解決するための手段】
【０００６】
本発明に係る表示装置は、手書き入力を受け付けるタッチパネルと、前記タッチパネルが受け付けた手書き入力に係る情報を表示する表示部と、複数の素材画像データを記憶するデータ記憶部と、前記複数の素材画像データからいずれかの選択を受け付ける選択受付部と、前記選択された素材画像データを前記データ記憶部から読み出し、前記読み出した素材画像データに基づく素材画像を前記表示部に表示する表示制御部とを備える。前記手書き入力による前記タッチパネルへの操作位置が、前記素材画像の周縁部分から所定範囲内にある場合に、前記表示制御部は、前記素材画像の周縁部分に対応する線分を表示する。
【０００７】
本発明に係る表示装置は、所定時間毎に前記操作位置を算出し、前記算出した操作位置が前記素材画像の周縁部分から所定範囲内にあるか否かを判断し、前記判断に応じて前記素材画像の周縁部分に対応する前記線分又は手書き情報を表示する。
【０００８】
本発明に係る表示装置は、前記素材画像の周縁部分が直線である。
【０００９】
本発明に係る表示装置は、手書き入力を受け付けるタッチパネルと、前記タッチパネルが受け付けた手書き入力に係る情報を表示する表示部と、
複数の素材画像データを記憶するデータ記憶部と、前記複数の素材画像データからいずれかの選択を複数受け付ける選択受付部と、前記選択された複数の素材画像データを前記データ記憶部から読み出し、前記読み出した複数の素材画像データに基づく複数の素材画像を前記表示部に表示する表示制御部とを備える。前記複数の素材画像のうちから移動指示を受け付けた素材画像が、前記複数の素材画像のうちの他の素材画像に接している場合に、前記表示制御部は、前記他の素材画像の周縁に沿って、前記移動指示を受け付けた素材画像を移動指示された位置まで移動させて表示する。
【００１０】
本発明に係る表示装置は、前記他の素材画像の周縁が直線である。
【発明の効果】
【００１１】
本発明では、複数の素材画像データから選択された素材画像データに基づく素材画像が表示部に表示される。表示された素材画像に対して変倍指示が行われた場合、変倍指示された素材画像における素材画像データに対して変倍処理が行われ、変倍処理後の素材画像データに基づく素材画像が表示部に表示される。よって、表示部に表示された任意の素材画像を任意の大きさで表示することが可能となる。
【図面の簡単な説明】
【００１２】
【図１】実施形態１の電子白板装置の正面図である。
【図２】実施形態１の電子白板装置の構成例を示すブロック図である。
【図３】実施形態１の電子白板装置の初期状態を示す模式図である。
【図４】実施形態１の電子白板装置による処理の手順を示すフローチャートである。
【図５】実施形態１の電子白板装置による処理の手順を示すフローチャートである。
【図６】実施形態１の電子白板装置による表示画面例を示す模式図である。
【図７】実施形態１の電子白板装置による表示画面例を示す模式図である。
【図８】実施形態１の電子白板装置による表示画面例を示す模式図である。
【図９】実施形態１の電子白板装置による表示画面例を示す模式図である。
【図１０】実施形態２の電子白板装置による処理の手順を示すフローチャートである。
【図１１】実施形態２の電子白板装置による処理の手順を示すフローチャートである。
【図１２】実施形態２の電子白板装置による表示画面例を示す模式図である。
【図１３】実施形態３の電子白板装置による処理の手順を示すフローチャートである。
【図１４】実施形態３の電子白板装置による表示画面例を示す模式図である。
【図１５】実施形態４の電子白板装置による処理の手順を示すフローチャートである。
【図１６】実施形態４の電子白板装置による表示画面例を示す模式図である。
【図１７】実施形態５の電子白板装置による表示画面例を示す模式図である。
【発明を実施するための形態】
【００１３】
以下に、本発明に係る表示装置について、その実施形態を示す図面に基づいて詳述する。以下では、本発明に係る表示装置を適用した電子白板装置を例に本発明について説明する。
【００１４】
（実施形態１）
以下に、実施形態１に係る電子白板装置について説明する。図１は実施形態１の電子白板装置の正面図であり、図２は、実施形態１の電子白板装置の構成例を示すブロック図である。本実施形態１の電子白板装置１は、矩形の表示画面を有する表示パネル（表示部）１２ａと、例えば表示パネル１２ａの表示画面側に配されたタッチパネル１３ａとを有する。表示パネル１２ａは、例えば液晶ディスプレイ、プラズマディスプレイ又は有機ＥＬ（Electro Luminescence）ディスプレイ等である。タッチパネル１３ａは、静電容量方式、抵抗膜方式、電磁誘導方式又は赤外線方式等のタッチセンサであり、タッチペン又はユーザの指等の操作体が接触又は近接した位置（操作位置）による入力操作（手書き入力）を受け付ける。なお、以下では、操作体によるタッチパネル１３ａに対する入力操作をタッチ操作（接触操作）と呼ぶこともある。
【００１５】
また、本実施形態１の電子白板装置１は、制御部１０、記憶部１１、表示制御部１２、及びタッチパネル制御部１３等を備え、これらのハードウェア各部はバスを介して相互に接続されている。
制御部１０は、ＣＰＵ（Central Processing Unit）又はＭＰＵ（Micro Processor Unit）等である。制御部１０は、記憶部１１に記憶されている制御プログラムを適宜読み出して実行することにより上述のハードウェア各部の動作を制御し、電子白板装置１を、本発明に係る表示装置として動作させる。
【００１６】
記憶部１１は、ＥＥＰＲＯＭ（Electrically Erasable and Programmable ROM）、フラッシュメモリ、ＨＤＤ（Hard Disk Drive）等である。記憶部１１は、制御部１０が実行すべき制御プログラム及び各種データを予め記憶している。また記憶部１１は、制御部１０による制御プログラムの実行時に発生する種々のデータを一時的に記憶する。更に記憶部１１は、ユーザがタッチペン又は自身の指にてタッチパネル１３ａに対して手書き入力した情報（手書きの軌跡）を表示パネル１２ａに表示させるために制御部１０が実行すべき表示制御アプリケーションを記憶している。なお、表示制御アプリケーションは、予め記憶部１１に記憶されている構成に限らない。例えば、制御部１０が、通信部（図示せず）を介してネットワークに接続された外部装置から表示制御アプリケーションをダウンロードして記憶部１１に記憶してもよい。また制御部１０が、表示制御アプリケーションを格納している外部記憶媒体から読取部（図示せず）にて読み出して記憶部１１に記憶してもよい。
【００１７】
表示制御部１２には表示パネル１２ａが接続されている。表示制御部１２は、制御部１０からの指示に従って表示パネル１２ａを駆動し、制御部１０から出力されてくる画像データ（映像データ）に基づく画像（映像）を表示パネル１２ａに表示する。
タッチパネル制御部１３にはタッチパネル１３ａが接続されている。タッチパネル制御部１３は、タッチパネル１３ａに対して操作体（タッチペン又はユーザの指等）による入力操作が行われたか否かを検出し、入力操作が行われた場合、タッチパネル１３ａの表面（表示パネル１２ａの表示画面）に対する操作位置に係る座標情報を算出する。なお、操作位置に係る座標情報は、例えば、タッチパネル１３ａ（表示パネル１２ａ）の正面視左上角を座標軸原点とし、左から右へ向かう方向をｘ軸正方向とし、上から下へ向かう方向をｙ軸正方向としたｘ座標値及びｙ座標値で示すことができる。タッチパネル制御部１３は、算出した座標情報を制御部１０へ送出する。なお、タッチパネル制御部１３は、操作位置に係る座標情報の算出処理を所定時間間隔（例えば、数１０ｍ秒、数１００ｍ秒毎）で行っており、算出した座標情報を随時制御部１０へ送出する。
【００１８】
上述した構成の電子白板装置１において、ユーザが起動指示を行った場合、制御部１０は起動処理を行い、起動処理後、記憶部１１に記憶してある表示制御アプリケーションを読み出して実行する。制御部１０が表示制御アプリケーションを実行した場合、電子白板装置１は、図３に示すような状態となる。図３は、実施形態１の電子白板装置１の初期状態を示す模式図である。本実施形態１の電子白板装置１において、表示パネル１２ａの表示画面及びタッチパネル１３ａの表面は、右端に設けられた縦長のメニュー領域１ｂと、それ以外の描画領域１ａとを有する。描画領域１ａは、ユーザが操作体にて文字及び絵等を自由に描画できる領域である。メニュー領域１ｂは、電子白板装置１に予め用意されている画像（素材画像）又は電子白板装置１で実行可能な各機能をユーザが操作体にて選択するためのメニューが表示された領域である。
【００１９】
図３に示したメニュー領域１ｂには、ペンメニューＭ１、物差しメニューＭ２、三角定規メニューＭ３、分度器メニューＭ４、みかんメニューＭ５、りんごメニューＭ６、算盤メニューＭ７、拡大縮小メニューＭ８、移動メニューＭ９、倍率一致メニューＭ１０、及び消しゴムメニューＭ１１が表示されている。
ユーザが操作体にてタッチパネル１３ａに対して入力操作を行った場合、タッチパネル制御部１３は、操作体によるタッチパネル１３ａに対する操作位置を検出（算出）する。そして制御部１０は、タッチパネル制御部１３にて検出された操作位置が、描画領域１ａ内であるかメニュー領域１ｂ内であるかを判断し、メニュー領域１ｂ内であれば、いずれのメニューに対する選択操作が行われたかを判断する。具体的には、制御部１０は、操作位置がいずれのメニューの表示領域に含まれるかを判断し、表示領域に操作位置を含むメニューが選択されたと判断する。
【００２０】
ペンメニューＭ１は、描画領域１ａに対する手書き入力の開始指示を行うためのメニューである。ペンメニューＭ１が選択操作された場合、制御部１０は、描画領域１ａに対する手書き入力待ち状態となり、ユーザが操作体にて描画領域１ａに文字又は絵等を描画した場合、この操作位置に対応する位置を表示制御部１２にて表示パネル１２ａにプロットする。タッチパネル制御部１３は、描画領域１ａに対する操作位置を所定時間間隔で検出しており、制御部１０は、操作位置が検出される都度、表示パネル１２ａにプロットするので、描画領域１ａに対して手書き入力された情報が逐次表示パネル１２ａに表示される。
【００２１】
物差しメニューＭ２、三角定規メニューＭ３、分度器メニューＭ４、みかんメニューＭ５、りんごメニューＭ６、及び算盤メニューＭ７は、物差し、三角定規、分度器、みかん、りんご及び算盤の画像（素材画像）をそれぞれ描画領域１ａに表示する指示を行うためのメニューである。以下では、これらのメニューＭ２〜Ｍ７をまとめて素材表示メニューＭ２〜Ｍ７と呼ぶこともある。
拡大縮小メニューＭ８は、表示パネル１２ａの描画領域１ａに表示された素材画像に対して変倍処理（拡大処理又は縮小処理）の実行を指示するためのメニューである。移動メニューＭ９は、描画領域１ａに表示された素材画像に対して移動処理（表示位置の変更）の実行を指示するためのメニューである。倍率一致メニューＭ１０は、描画領域１ａに複数の素材画像を表示されている場合に、いずれかの素材画像に行われた変倍処理における変倍率（倍率）を他の素材画像にも反映させる処理の実行を指示するためのメニューである。消しゴムメニューＭ１１は、描画領域１ａに描画されて表示中の文字、絵、素材画像等の一部に対する消去を指示するためのメニューである。
【００２２】
次に、本実施形態１の電子白板装置１が行う処理について説明する。図４及び図５は、実施形態１の電子白板装置１による処理の手順を示すフローチャートであり、図６〜図８は、実施形態１の電子白板装置１による表示画面例を示す模式図である。
電子白板装置１の制御部１０は、タッチパネル１３ａに対して入力操作が行われたか否かをタッチパネル制御部１３にて判断しており、入力操作が行われたと判断した場合、メニュー領域１ｂに表示されたペンメニューＭ１に対する選択操作が行われたか否かを判断する（Ｓ１）。具体的には、タッチパネル制御部１３が、タッチパネル１３ａの表面に対する操作体による操作位置を算出し、制御部１０が、タッチパネル制御部１３にて算出された操作位置が、ペンメニューＭ１の表示領域内であるか否かを判断する。
【００２３】
ペンメニューＭ１に対する選択操作が行われたと判断した場合（Ｓ１：ＹＥＳ）、制御部１０は、描画領域１ａに対する手書き入力の待ち状態となり、描画領域１ａに対して手書き入力されたか否かを判断する（Ｓ２）。手書き入力されたと判断した場合（Ｓ２：ＹＥＳ）、即ち、ユーザが操作体にて描画領域１ａに文字又は絵等を描画した場合、制御部１０は、手書き入力された情報（手書き情報）を表示制御部１２にて表示パネル１２ａに表示する（Ｓ３）。具体的には、制御部１０は、タッチパネル制御部１３にて算出された操作位置に対応する位置を表示制御部１２にて表示パネル１２ａにプロットする。
【００２４】
ステップＳ３の処理後、又は、ステップＳ２で、手書き入力されていないと判断した場合（Ｓ２：ＮＯ）、制御部１０は、タッチパネル１３ａに対する入力操作にて、メニュー領域１ｂに表示されたメニューのいずれかに対する選択操作が行われたか否かを判断する（Ｓ４）。具体的には、タッチパネル制御部１３が、タッチパネル１３ａの表面に対する操作体による操作位置を算出し、制御部１０が、タッチパネル制御部１３にて算出された操作位置が、メニュー領域１ｂ内であるか否かを判断する。
【００２５】
いずれかのメニューに対する選択操作が行われていないと判断した場合（Ｓ４：ＮＯ）、制御部１０は、ステップＳ２の処理に戻り、描画領域１ａに対して手書き入力される都度、手書き入力された情報を逐次表示パネル１２ａに表示する。
いずれかのメニューに対する選択操作が行われたと判断した場合（Ｓ４：ＹＥＳ）、制御部１０は、ステップＳ１の処理に戻る。
【００２６】
ペンメニューＭ１に対する選択操作が行われていないと判断した場合（Ｓ１：ＮＯ）、制御部１０は、素材表示メニューＭ２〜Ｍ７のいずれかに対する選択操作が行われたか否かを判断する（Ｓ５）。具体的には、制御部１０は、メニュー領域１ｂに表示された物差しメニューＭ２、三角定規メニューＭ３、分度器メニューＭ４、みかんメニューＭ５、りんごメニューＭ６、又は算盤メニューＭ７のいずれかが選択操作されたかを判断する。なお、制御部１０は、素材表示メニューＭ２〜Ｍ７を介して、複数の素材画像（素材画像データ）のいずれかに対する選択を受け付ける選択受付部として動作する。
【００２７】
素材表示メニューＭ２〜Ｍ７のいずれかに対する選択操作が行われたと判断した場合（Ｓ５：ＹＥＳ）、制御部１０は、タッチパネル１３ａの描画領域１ａに対するタッチ操作（入力操作）の待ち状態となり、描画領域１ａに対してタッチ操作されたか否かをタッチパネル制御部１３にて判断する（Ｓ６）。なお、ユーザは、選択した素材画像を表示すべき位置を、描画領域１ａに対するタッチ操作にて指定する。よって、描画領域１ａに対してタッチ操作されたと判断した場合（Ｓ６：ＹＥＳ）、制御部１０は、表示パネル１２ａにおいて、タッチ操作された位置に、選択操作された素材表示メニューＭ２〜Ｍ７に対応する素材画像を表示制御部１２にて表示する（Ｓ７）。なお、表示パネル１２ａに各素材画像を表示するための各素材画像データは、例えば表示制御アプリケーションに含まれており、記憶部（データ記憶部）１１に記憶されている。よって、制御部１０は、選択された素材表示メニューＭ２〜Ｍ７に対応する素材画像データを記憶部１１から読み出して表示制御部１２へ送出し、表示制御部１２は、取得した素材画像データに基づいて表示パネル１２ａに素材画像を表示させる。このとき制御部１０は、描画領域１ａに対してタッチ操作された位置（操作位置）に素材画像を表示させるように表示制御部１２に指示しており、これにより、ユーザによるタッチ操作にて指示された表示位置に素材画像が表示される。
【００２８】
図６Ａには、物差しメニューＭ２が選択操作された場合の表示画面例を示している。図６Ａに示すように、物差しメニューＭ２が選択操作された後に、描画領域１ａに操作体（図６ＡではタッチペンＰ）を用いてタッチ操作された場合、タッチ操作された操作位置に物差しの画像（素材画像）が表示される。図６Ａに示す例では、操作位置を中央として物差しの画像が表示されているが、操作位置を左端又は右端として物差しの画像（素材画像）を表示させてもよい。
また、三角定規メニューＭ３、分度器メニューＭ４、みかんメニューＭ５、りんごメニューＭ６、又は算盤メニューＭ７のいずれかが選択操作された場合も、その後に描画領域１ａに対してタッチ操作された操作位置にそれぞれ三角定規、分度器、みかん、りんご又は算盤の画像が表示される。なお、みかん及びりんごの画像は、例えば、「みかんが２つ、りんごが３つあります…」のような算数の問題を教える場合に利用できる。
【００２９】
上述したように、本実施形態１の電子白板装置１は、素材表示メニューＭ２〜Ｍ７のいずれかが選択操作された場合、その後に描画領域１ａに対してタッチ操作された操作位置に、選択された素材画像を表示する構成である。このほかに、描画領域１ａに対して行われるタッチ操作を待たずに、素材表示メニューＭ２〜Ｍ７のいずれかが選択操作された時点で描画領域１ａの所定位置に、対応する素材画像を表示させてもよい。この場合、素材表示メニューＭ２〜Ｍ７に対する選択操作のみで所望の素材画像を表示パネル１２ａ（描画領域１ａ）に表示させることができるので操作性がよい。
【００３０】
ステップＳ７の処理後、又は、ステップＳ６で、描画領域１ａに対してタッチ操作されていないと判断した場合（Ｓ６：ＮＯ）、制御部１０は、ステップＳ４と同様に、メニュー領域１ｂに表示されたメニューのいずれかに対する選択操作が行われたか否かを判断する（Ｓ８）。いずれかのメニューに対する選択操作が行われていないと判断した場合（Ｓ８：ＮＯ）、制御部１０は、ステップＳ６の処理に戻り、描画領域１ａに対してタッチ操作される都度、選択操作された素材表示メニューＭ２〜Ｍ７に対応する素材画像を表示パネル１２ａに表示する。
いずれかのメニューに対する選択操作が行われたと判断した場合（Ｓ８：ＹＥＳ）、制御部１０は、ステップＳ１の処理に戻る。
【００３１】
ステップＳ５で、素材表示メニューＭ２〜Ｍ７のいずれに対しても選択操作が行われていないと判断した場合（Ｓ５：ＮＯ）、制御部１０は、拡大縮小メニューＭ８に対する選択操作が行われたか否かを判断する（Ｓ９）。拡大縮小メニューＭ８に対する選択操作が行われたと判断した場合（Ｓ９：ＹＥＳ）、制御部１０は、描画領域１ａに表示中のいずれかの素材画像に対する変倍処理（拡大処理又は縮小処理）の実行指示の待ち状態となる。そして制御部１０は、描画領域１ａに対する操作体による入力操作に基づいて、いずれかの素材画像に対する変倍処理の実行指示（変倍指示）を受け付けたか否かを判断する（Ｓ１０）。
【００３２】
図６Ｂ及び図６Ｃには、拡大縮小メニューＭ８が選択操作された場合の表示画面例を示しており、図６Ｂには変倍指示の開始時点での状態、図６Ｃには変倍指示の終了時点での状態をそれぞれ示す。図６Ｂに示すように、物差しの画像（素材画像）に対して拡大処理を行いたい場合、ユーザはまず、例えば自身の指Ｆ及びタッチペンＰを用いて、描画領域１ａに表示された物差しの画像の左右端をタッチ操作する。その後、ユーザは、所望サイズとなるまで自身の指Ｆ及びタッチペンＰを描画領域１ａに沿って移動操作（スライド操作）し、図６Ｃに示す状態で描画領域１ａに対するタッチ操作及びスライド操作を終了する。
よって、制御部１０は、描画領域１ａに対して２箇所でタッチ操作された場合、タッチ操作された素材画像が変倍対象であると判断する。具体的には、制御部（変倍受付部）１０は、２つの操作位置を含む素材画像を変倍対象の素材画像として受け付ける。また制御部１０は、描画領域１ａに対する操作位置をタッチパネル制御部１３にて所定時間毎に検出しており、操作位置を検出する都度、所定時間前の２つの操作位置で指定されていた領域を、検出した２つの操作位置で指定される領域に変倍する変倍処理の実行指示を受け付ける。よって、制御部１０は、描画領域１ａに対する操作位置を検出する都度、タッチ操作された素材画像に対する変倍処理の実行指示を受け付ける。
【００３３】
いずれかの素材画像に対する変倍指示を受け付けたと判断した場合（Ｓ１０：ＹＥＳ）、制御部（変倍処理部）１０は、受け付けた変倍指示の処理内容に基づく変倍処理を実行する（Ｓ１１）。具体的には、制御部１０は、描画領域１ａに対するタッチ操作にて選択された素材画像に対して、実行指示を受け付けた変倍処理を実行する。より具体的には、制御部１０は、選択された素材画像の素材画像データに対して、実行指示された変倍率による変倍処理を行い、変倍処理後の素材画像データを表示制御部１２へ送出する。そして表示制御部１２が、取得した変倍処理後の素材画像データに基づいて表示パネル１２ａに素材画像を表示させることにより、変倍処理された素材画像が表示パネル１２ａに表示される。なお、制御部１０は、描画領域１ａに対するスライド操作（入力操作）が終了するまで、描画領域１ａに対する操作位置の検出、及び操作位置に基づく変倍処理を行うので、描画領域１ａに対するスライド操作（入力操作）に従って、対応する素材画像が随時変倍されて表示される。
【００３４】
上述したように、本実施形態１の電子白板装置１は、描画領域１ａに対する２箇所の操作位置で示される領域への変倍処理の実行指示を受け付ける構成であるが、このような構成に限らない。例えば、拡大縮小メニューＭ８が選択操作された場合に、変倍率を指定する変倍率メニューが別途に表示され、変倍率メニューから変倍率が指定される構成としてもよい。この場合、例えば、変倍率メニューを介して変倍率が指定され、描画領域１ａに対するタッチ操作によって変倍対象となる素材画像が選択されることにより、選択された素材画像に対して、指定された変倍率による変倍処理が行われるようにしてもよい。
【００３５】
ステップＳ１１の処理後、又は、ステップＳ１０で、変倍指示を受け付けていないと判断した場合（Ｓ１０：ＮＯ）、制御部１０は、ステップＳ４と同様に、メニュー領域１ｂに表示されたメニューのいずれかに対する選択操作が行われたか否かを判断する（Ｓ１２）。いずれかのメニューに対する選択操作が行われていないと判断した場合（Ｓ１２：ＮＯ）、制御部１０は、ステップＳ１０の処理に戻り、表示中のいずれかの素材画像に対する変倍指示を受け付ける都度、変倍指示に従った変倍処理を行う。
いずれかのメニューに対する選択操作が行われたと判断した場合（Ｓ１２：ＹＥＳ）、制御部１０は、ステップＳ１の処理に戻る。
【００３６】
ステップＳ９で、拡大縮小メニューＭ８に対する選択操作が行われていないと判断した場合（Ｓ９：ＮＯ）、制御部１０は、移動メニューＭ９に対する選択操作が行われたか否かを判断する（Ｓ１３）。移動メニューＭ９に対する選択操作が行われたと判断した場合（Ｓ１３：ＹＥＳ）、制御部１０は、描画領域１ａに表示中のいずれかの素材画像に対する移動指示の待ち状態となる。そして制御部１０は、描画領域１ａに対する操作体による入力操作に基づいて、いずれかの素材画像に対する移動指示を受け付けたか否かを判断する（Ｓ１４）。
【００３７】
図７Ａ及び図７Ｂには、移動メニューＭ９が選択操作された場合の表示画面例を示しており、図７Ａには移動指示の開始時点での状態、図７Ｂには移動指示の終了時点での状態をそれぞれ示す。図７Ａに示すように、物差しの画像（素材画像）に対して移動処理を行いたい場合、ユーザはまず操作体（図７Ａ，ＢではタッチペンＰ）を用いて、描画領域１ａに表示された物差しの画像をタッチ操作する。その後、ユーザは、所望位置まで操作体を描画領域１ａに沿ってスライド操作（移動操作）し、図７Ｂに示す状態で描画領域１ａに対するタッチ操作及びスライド操作を終了する。
よって、制御部１０は、描画領域１ａに対してタッチ操作された場合、タッチ操作された素材画像が移動対象であると判断する。具体的には、制御部（移動受付部）１０は、操作位置を含む素材画像を移動対象の素材画像として受け付ける。また制御部１０は、描画領域１ａに対する操作位置をタッチパネル制御部１３にて所定時間毎に検出しており、操作位置を検出する都度、検出した操作位置に移動させる移動処理の実行指示を受け付ける。よって、制御部１０は、描画領域１ａに対する操作位置を検出する都度、タッチ操作された素材画像に対する移動処理の実行指示を受け付ける。
【００３８】
いずれかの素材画像に対する移動指示を受け付けたと判断した場合（Ｓ１４：ＹＥＳ）、制御部１０は、受け付けた移動指示の処理内容に基づく移動処理を実行する（Ｓ１５）。具体的には、制御部１０は、表示制御部１２にて、描画領域１ａに対するタッチ操作にて選択された素材画像を、移動指示された位置（描画領域１ａに対応する操作位置）に移動（表示）させる。なお、制御部１０は、描画領域１ａに対するスライド操作が終了するまで、描画領域１ａに対する操作位置の検出、及び操作位置に基づく移動処理を行うので、描画領域１ａに対するスライド操作に従って、対応する素材画像の表示位置が随時変更される。
【００３９】
上述したように、本実施形態１の電子白板装置１は、描画領域１ａに対するタッチ操作及びスライド操作にて移動処理の実行指示を受け付ける構成であるが、このような構成に限らない。例えば、移動メニューＭ９が選択操作された場合に、描画領域１ａの左右方向及び上下方向への移動を指定する移動方向メニューが別途に表示され、移動方向メニューから移動方向が指定される構成としてもよい。この場合、例えば、移動方向メニューを介して移動方向が指定され、描画領域１ａに対するタッチ操作によって移動対象となる素材画像が選択されることにより、選択された素材画像に対して、指定された移動方向による移動処理が行われるようにしてもよい。
【００４０】
ステップＳ１５の処理後、又は、ステップＳ１４で、移動指示を受け付けていないと判断した場合（Ｓ１４：ＮＯ）、制御部１０は、ステップＳ４と同様に、メニュー領域１ｂに表示されたメニューのいずれかに対する選択操作が行われたか否かを判断する（Ｓ１６）。いずれかのメニューに対する選択操作が行われていないと判断した場合（Ｓ１６：ＮＯ）、制御部１０は、ステップＳ１４の処理に戻り、いずれかの素材画像に対する移動指示を受け付ける都度、移動指示に従った移動処理を行う。
いずれかのメニューに対する選択操作が行われたと判断した場合（Ｓ１６：ＹＥＳ）、制御部１０は、ステップＳ１の処理に戻る。
【００４１】
ステップＳ１３で、移動メニューＭ９に対する選択操作が行われていないと判断した場合（Ｓ１３：ＮＯ）、制御部１０は、倍率一致メニューＭ１０に対する選択操作が行われたか否かを判断する（Ｓ１７）。倍率一致メニューＭ１０に対する選択操作が行われたと判断した場合（Ｓ１７：ＹＥＳ）、制御部１０は、タッチパネル１３ａの描画領域１ａに対するタッチ操作の待ち状態となり、描画領域１ａに対してタッチ操作されたか否かをタッチパネル制御部１３にて判断する（Ｓ１８）。なお、表示中の素材画像のいずれかにおける変倍率を他の素材画像にも反映させる処理を行いたい場合、ユーザは、表示中の素材画像のいずれかの表示領域に対してタッチ操作を行うことにより、基準とすべき素材画像を指定する。従って、倍率一致メニューＭ１０が選択操作された後に、描画領域１ａに対してタッチ操作された場合、制御部（指示受付部）１０は、タッチ操作によって選択（指定）された素材画像を基準とし、この素材画像における変倍率を他の素材画像にも反映させる処理の実行指示を受け付ける。
【００４２】
描画領域１ａに対してタッチ操作されたと判断した場合（Ｓ１８：ＹＥＳ）、制御部１０は、タッチ操作にて選択された素材画像を特定し、この素材画像に対して既に行われている変倍処理における変倍率を特定する（Ｓ１９）。なお、表示中の各素材画像に対して既に行われている変倍処理における変倍率は、制御部１０が変倍処理を行う都度、各素材画像に対応付けて記憶部１１に記憶されていてもよい。また、記憶部１１に記憶してある素材画像データに基づく素材画像と、描画領域１ａに表示中の素材画像とを比較することによって制御部１０が変倍率を算出してもよい。
【００４３】
制御部（変倍処理部）１０は、特定した変倍率による変倍処理を、描画領域１ａに表示中の他の素材画像に対して実行する（Ｓ２０）。これにより、それぞれ変倍処理された素材画像が表示パネル１２ａに表示され、描画領域１ａに表示中の全ての素材画像における変倍率を一致させる（統一する）ことができる。
図８Ａ及び図８Ｂには、倍率一致メニューＭ１０が選択操作された場合の表示画面例を示している。図８Ａに示すように、倍率一致メニューＭ１０が選択操作された後に、描画領域１ａに操作体（図８ＡではタッチペンＰ）を用いてタッチ操作された場合、タッチ操作にて選択された素材画像（図８Ａでは三角定規の画像）に既に行われている変倍処理における変倍率を、他の素材画像（図８Ａでは物差しの画像）にも反映させることができる。よって、図８Ｂに示すように、例えば物差しの目盛の数値と、三角定規の目盛の数値とを一致させることができる。
【００４４】
上述したように、本実施形態１の電子白板装置１は、倍率一致メニューＭ１０が選択操作された場合、その後に描画領域１ａに対するタッチ操作にて選択された素材画像における変倍率を他の素材画像にも反映させる構成である。このほかに、倍率一致メニューＭ１０が選択操作された時点で、描画領域１ａに表示中の全ての素材画像を、例えば、元の素材画像（記憶部１１に記憶してある素材画像データに基づく素材画像）、又は元の素材画像に対して所定の変倍率による変倍処理を行った素材画像に表示を切り替える構成でもよい。この場合、倍率一致メニューＭ１０に対する選択操作のみで、描画領域１ａに表示中の全ての素材画像における変倍率を一致させることができるので操作性がよい。
【００４５】
ステップＳ２０の処理後、又は、ステップＳ１８で、描画領域１ａに対してタッチ操作されていないと判断した場合（Ｓ１８：ＮＯ）、制御部１０は、ステップＳ４と同様に、メニュー領域１ｂに表示されたメニューのいずれかに対する選択操作が行われたか否かを判断する（Ｓ２１）。いずれかのメニューに対する選択操作が行われていないと判断した場合（Ｓ２１：ＮＯ）、制御部１０は、ステップＳ１８の処理に戻り、描画領域１ａに対してタッチ操作される都度、タッチ操作にて選択された素材画像における変倍率を他の素材画像にも反映させる処理を行う。
いずれかのメニューに対する選択操作が行われたと判断した場合（Ｓ２１：ＹＥＳ）、制御部１０は、ステップＳ１の処理に戻る。
【００４６】
ステップＳ１７で、倍率一致メニューＭ１０に対する選択操作が行われていないと判断した場合（Ｓ１７：ＮＯ）、即ち、消しゴムメニューＭ１１に対する選択操作が行われた場合、制御部１０は、描画領域１ａに対するタッチ操作の待ち状態となる。そして制御部１０は、描画領域１ａに対してタッチ操作されたか否かをタッチパネル制御部１３にて判断する（Ｓ２２）。なお、ユーザは、消去したい文字又は絵（手書き情報）、若しくは素材画像を、描画領域１ａに対するタッチ操作にて指定する。よって、描画領域１ａに対してタッチ操作されたと判断した場合（Ｓ２２：ＹＥＳ）、制御部（消去部）１０は、描画領域１ａに対してタッチ操作された箇所に基づく消しゴム処理を実行する（Ｓ２３）。具体的には、制御部（消去受付部）１０は、描画領域１ａに対するタッチ操作によって、タッチ操作された箇所に表示中の文字又は絵（手書き情報）、若しくは素材画像に対する消去指示を受け付け、消去指示された文字、絵、又は素材画像を消去（表示を終了）する。
【００４７】
なお、消しゴムメニューＭ１１を設けずに、例えば、タッチパネル１３ａ（描画領域１ａ）に対する操作体のタッチ領域が所定サイズ以上である場合に、このタッチ領域に含まれる文字、絵、素材画像等を消去するようにしてもよい。この場合、例えば黒板消しのように、タッチパネル１３ａに対するタッチ領域が所定サイズ以上となる操作体をユーザが用いることにより消しゴム処理を行うことができる。
【００４８】
ステップＳ２３の処理後、又は、ステップＳ２２で、描画領域１ａに対してタッチ操作されていないと判断した場合（Ｓ２２：ＮＯ）、制御部１０は、ステップＳ４と同様に、メニュー領域１ｂに表示されたメニューのいずれかに対する選択操作が行われたか否かを判断する（Ｓ２４）。いずれかのメニューに対する選択操作が行われていないと判断した場合（Ｓ２４：ＮＯ）、制御部１０は、ステップＳ２２の処理に戻り、描画領域１ａに対してタッチ操作される都度、タッチ操作された箇所に基づく消しゴム処理を行う。
いずれかのメニューに対する選択操作が行われたと判断した場合（Ｓ２４：ＹＥＳ）、制御部１０は、ステップＳ１の処理に戻る。
【００４９】
電子白板装置１の制御部１０は、例えば電源ボタン（図示せず）がオフされることによって動作終了が指示されるまで上述した処理を行う。よって、本実施形態１の電子白板装置１は、描画領域１ａに対して手書き入力された情報を表示パネル１２ａに表示させることができ、メニュー領域１ｂに表示された素材表示メニューＭ２〜Ｍ７を介して選択された素材画像を表示パネル１２ａに表示させることができる。また本実施形態１の電子白板装置１は、メニュー領域１ｂに表示された拡大縮小メニューＭ８が選択操作された場合、描画領域１ａに表示中の任意の素材画像を拡大又は縮小して表示させることができる。また本実施形態１の電子白板装置１は、メニュー領域１ｂに表示された移動メニューＭ９が選択操作された場合、描画領域１ａに表示中の任意の素材画像の表示位置を移動（変更）することができる。また本実施形態１の電子白板装置１は、メニュー領域１ｂに表示された倍率一致メニューＭ１０が選択操作された場合、描画領域１ａに表示中の任意の素材画像における変倍率を他の素材画像にも反映させて表示させることができる。更に本実施形態１の電子白板装置１は、メニュー領域１ｂに表示された消しゴムメニューＭ１１が選択操作された場合、描画領域１ａに表示中の任意の文字、絵又は素材画像を消去することができる。
【００５０】
以下に、算盤メニューＭ７が選択操作された場合に電子白板装置１が行う処理について説明する。図９は、実施形態１の電子白板装置１による表示画面例を示す模式図であり、算盤メニューＭ７が選択操作された場合の表示画面例を示している。図９Ａに示すように、算盤メニューＭ７が選択操作された場合、制御部１０は、表示パネル１２ａにおいて、タッチパネル１３ａに対する操作位置に算盤の素材画像を表示する。表示された算盤を操作したいユーザは、移動させたい珠の表示領域に対してタッチ操作を行う。従って、算盤の素材画像を表示している場合、制御部（算盤操作受付部）１０は、表示中の算盤の各珠に対するタッチ操作によって、タッチ操作された珠に対する移動指示を受け付ける。従って、制御部１０は、タッチパネル制御部１３にて、描画領域１ａに表示してある算盤のいずれかの珠に対してタッチ操作されたか否かを判断しており、いずれかの珠に対してタッチ操作されたと判断した場合、タッチ操作された珠を適切に移動させる。例えば、図９Ａ中にハッチングを付した珠がタッチ操作された場合、図９Ｂに示すように、タッチ操作された珠が移動される（図９Ｂでは上方に移動）。
【００５１】
算盤は、所定の規則に従ってユーザが各珠を移動（操作）して使用される。従って、所定の規則に従って移動すべき方向を予め設定しておくことにより、いずれかの珠に対してタッチ操作された場合に、所定の規則に従って、タッチ操作された珠の移動方向を決定することができる。なお、算盤の珠（タッチパネル１３ａ）に対するタッチ操作だけでなく、タッチ操作と、タッチ操作からのスライド操作とに従って、各珠を移動させる構成としてもよい。例えば、ある珠に対してタッチ操作が行われ、タッチ操作された箇所から描画領域１ａに沿って上方向へのスライド操作が行われた場合、この珠の表示位置を上方向に変更するように構成してもよい。
図９Ａ及び図９Ｂに示すように算盤の素材画像が表示された状態においても、ユーザが拡大縮小メニューＭ８を選択操作し、描画領域１ａに対する入力操作にて変倍指示を行うことによって、算盤の素材画像に対する変倍処理の実行が可能である。
【００５２】
本実施形態１の電子白板装置１では、素材表示メニューとして、物差しメニューＭ２、三角定規メニューＭ３、分度器メニューＭ４、みかんメニューＭ５、りんごメニューＭ６、算盤メニューＭ７がメニュー領域１ｂに表示されていた。そして、ユーザがそれぞれの素材表示メニューＭ２〜Ｍ７を選択することにより、物差し、三角定規、分度器、みかん、りんご、算盤の素材画像が表示パネル１２（描画領域１ａ）に表示される構成であった。表示パネル１２に表示される素材画像としては、これらのほかに例えば、コンパス、計算尺、方眼紙、グラフ用紙、五線譜、英語用罫線、及び原稿用紙等の各素材画像が考えられる。よって、コンパス、計算尺、方眼紙、グラフ用紙、五線譜、英語用罫線、及び原稿用紙等の各素材画像を表示パネル１２ａに表示するための各素材画像データを記憶部１１に記憶させておき、メニュー領域１ｂにこれらの各素材画像を描画領域１ａに表示する指示を行うための各メニューを表示させる構成としてもよい。
【００５３】
（実施形態２）
以下に、実施形態２に係る電子白板装置について説明する。本実施形態２の電子白板装置は、上述の実施形態１の電子白板装置１と同様の構成を有するので、構成についての説明を省略する。また、本実施形態２の電子白板装置１は、上述の実施形態１の電子白板装置１と同様の処理を行うと共に、以下の処理を行う。
【００５４】
以下に、タッチパネル１３ａに対して手書き入力される際に、本実施形態２の電子白板装置１が行う処理について説明する。図１０は、実施形態２の電子白板装置１による処理の手順を示すフローチャートである。
本実施形態２の電子白板装置１において、メニュー領域１ｂに表示されたペンメニューＭ１に対して選択操作が行われた場合、制御部１０は、描画領域１ａを介した手書き入力の待ち状態となり、描画領域１ａに対して手書き入力されたか否かを判断する（Ｓ３１）。手書き入力されていないと判断した場合（Ｓ３１：ＮＯ）、制御部１０は、手書き入力されるまで待機する。
【００５５】
手書き入力されたと判断した場合（Ｓ３１：ＹＥＳ）、即ち、ユーザが操作体にて描画領域１ａに対して文字又は絵等を描画した場合、制御部１０は、描画された情報（タッチ操作された位置）が、描画領域１ａに表示中のいずれかの素材画像における直線部分に一致するか否かを判断する（Ｓ３２）。具体的には、制御部１０は、タッチパネル制御部１３にて算出された操作位置が、描画領域１ａに表示中のいずれかの素材画像（例えば物差し、三角定規又は分度器の画像）における直線部分の近傍（より具体的には、直線部分から所定範囲内）にあるか否かを判断する。そして制御部１０は、操作位置が前記直線部分の近傍にあると判断した場合、描画された情報が表示中の素材画像における直線部分に一致すると判断する。
【００５６】
描画された情報がいずれかの素材画像における直線部分に一致すると判断した場合（Ｓ３２：ＹＥＳ）、制御部１０は、この直線部分に一致するまっすぐな線分（直線）を表示制御部１２にて表示パネル１２ａに表示する（Ｓ３３）。具体的には、制御部１０は、描画された情報が一致すると判断された直線部分において、タッチパネル制御部１３にて算出された操作位置から最も近い位置を表示位置とし、この表示位置を表示パネル１２ａにプロットする。描画された情報が、表示中の素材画像における直線部分に一致しないと判断した場合（Ｓ３２：ＮＯ）、制御部１０は、手書き入力された情報（手書き情報）を表示制御部１２にて表示パネル１２ａに表示する（Ｓ３４）。
【００５７】
制御部１０は、描画領域１ａに対して手書き入力されている間、所定時間毎に操作位置を算出し、算出した操作位置がいずれかの素材画像における直線部分に一致するか否かを判断し、判断結果に応じて直線又は手書き情報の表示を行う。これにより、表示中の素材画像における直線部分をなぞった線分が手書き入力された場合に、まっすぐな線分を表示させることができる。よって、フリーハンドによる手書き入力で線分を描いた場合にまっすぐな線分を描くことは困難であるが、表示中の素材画像における直線部分に基づいてまっすぐな線分を描く（表示する）ことができる。また、表示中の素材画像に関係なく手書き入力された情報も表示させることができる。
【００５８】
なお、一画分の手書き入力が行われた場合に、手書きされた一画分の情報（軌跡）がいずれかの素材画像における直線部分に一致するか否かを判断してもよい。即ち、一画分の手書き入力が終了した時点で、描画された情報がいずれかの素材画像における直線部分に一致するか否かの判断を行ってもよい。この場合、一画分の情報がいずれかの素材画像における直線部分に一致する場合に、手書きされた一画分の情報を、まっすぐな線分で表示パネル１２ａに表示することができる。
【００５９】
以下に、移動メニューＭ９が選択操作された場合に、本実施形態２の電子白板装置１が行う処理について説明する。図１１は、実施形態２の電子白板装置１による処理の手順を示すフローチャートである。
本実施形態２の電子白板装置１において、メニュー領域１ｂに表示された移動メニューＭ９に対して選択操作が行われた場合、制御部１０は、描画領域１ａに表示中のいずれかの素材画像に対する移動指示の待ち状態となる。そして制御部１０は、描画領域１ａに対する操作体による入力操作に基づいて、いずれかの素材画像に対する移動指示を受け付けたか否かを判断する（Ｓ４１）。具体的には、制御部１０は、ユーザが操作体にて描画領域１ａに表示中のいずれかの素材画像に対してタッチ操作し、その後スライド操作を行ったか否かを判断する。移動指示を受け付けていないと判断した場合（Ｓ４１：ＮＯ）、制御部１０は、移動指示を受け付けるまで待機する。
【００６０】
いずれかの素材画像に対する移動指示を受け付けたと判断した場合（Ｓ４１：ＹＥＳ）、制御部１０は、受け付けた移動指示に基づく移動処理の基準となる素材画像（基準素材）があるか否かを判断する（Ｓ４２）。具体的には、制御部１０は、描画領域１ａに対するタッチ操作にて移動対象に選択された素材画像が、描画領域１ａに表示中の他の素材画像に接しているか否かを判断し、選択された素材画像が他のいずれかの素材画像に接している場合、基準素材があると判断する。基準素材があると判断した場合（Ｓ４２：ＹＥＳ）、制御部１０は、基準素材の周縁に沿った移動処理を実行する（Ｓ４３）。具体的には、制御部１０は、表示制御部１２にて、移動対象に選択された素材画像を基準素材の周縁に沿って、移動指示された位置まで移動させて表示する。基準素材がないと判断した場合（Ｓ４２：ＮＯ）、制御部１０は、受け付けた移動指示の処理内容に従った移動処理を実行する（Ｓ４４）。
【００６１】
上述した処理により、ユーザが移動させたい素材画像が他の素材画像に接している場合に、この他の素材画像の周縁に沿って移動させることができる。よって、ユーザが移動させたい素材画像が他の素材画像における直線部分に接している場合、この直線部分に沿った移動が可能となる。
【００６２】
図１２は、実施形態２の電子白板装置１による表示画面例を示す模式図である。上述した処理を行うことにより、本実施形態２の電子白板装置１では、例えば、図１２Ａに示すように、物差し及び三角定規の素材画像がそれぞれの直線部分で接して表示されている状態で、ペンメニューＭ１が選択操作され、描画領域１ａに表示中の三角定規の上下方向の直線部分をなぞった線分が手書き入力された場合、この直線部分に一致するまっすぐな線分が表示パネル１２ａに表示される。次に、描画領域１ａに表示中の三角定規の素材画像に対して図１２Ｂに示すように移動指示が行われた場合、三角定規の素材画像は、物差しの素材画像における直線部分に沿って移動される。更に、図１２Ｃに示すように、移動後の三角定規の上下方向の直線部分をなぞった線分が手書き入力された場合、この直線部分に一致するまっすぐな線分が表示パネル１２ａに表示される。よって、本実施形態２の電子白板装置１を用いることにより、まっすぐな線分だけでなく平行線も容易に描くことが可能となる。
【００６３】
（実施形態３）
以下に、実施形態３に係る電子白板装置について説明する。本実施形態３の電子白板装置は、上述の実施形態１，２の電子白板装置１と同様の構成を有するので、構成についての説明を省略する。また、本実施形態３の電子白板装置１は、上述の実施形態１，２の電子白板装置１のそれぞれと同様の処理を行うと共に、以下の処理を行う。
【００６４】
本実施形態３の電子白板装置１は、表示パネル１２ａ（描画領域１ａ）に表示される素材画像として任意の画像を登録できる構成を有する。
以下に、任意の画像が素材画像として登録される際に、本実施形態３の電子白板装置１が行う処理について説明する。図１３は、実施形態３の電子白板装置１による処理の手順を示すフローチャートであり、図１４は、実施形態３の電子白板装置１による表示画面例を示す模式図である。
【００６５】
本実施形態３の電子白板装置１において、制御部１０は、任意の画像を素材画像として登録する指示（素材画像登録指示）を受け付けたか否かを判断する（Ｓ５１）。なお、素材画像の登録指示は、例えば、電子白板装置１の外面の適宜箇所に設けられた素材画像登録ボタン（図示せず）をユーザが操作することによって行われる。また、ユーザが電子白板装置１の外面の適宜箇所に設けられたメニュー表示ボタン（図示せず）を操作することによって、所定のメニュー欄が表示パネル１２ａ（描画領域１ａ）に表示され、このメニュー欄を介して素材画像の登録指示が行われる構成でもよい。
【００６６】
制御部１０は、素材画像の登録指示を受け付けていない場合（Ｓ５１：ＮＯ）、待機し、素材画像の登録指示を受け付けたと判断した場合（Ｓ５１：ＹＥＳ）、登録すべき画像の入力欄を表示制御部１２にて表示パネル１２ａに表示する（Ｓ５２）。図１４Ａは、入力欄が表示された状態を示しており、ユーザは、表示された入力欄内に素材画像として登録したい画像を手書き入力する。また、入力欄の近傍に登録ボタンが表示してあり、ユーザは、登録したい画像の入力が終了した場合に登録ボタンをタッチ操作する。なお、図１４Ａには、入力欄にいちごの画像が描かれている状態を示している。
制御部１０は、入力欄に対して手書き入力されたか否かを判断しており（Ｓ５３）、手書き入力されたと判断した場合（Ｓ５３：ＹＥＳ）、手書き入力された情報（手書き情報）を表示制御部１２にて入力欄（描画領域１ａ）に表示する（Ｓ５４）。なお、手書き入力されていないと判断した場合（Ｓ５３：ＮＯ）、制御部１０は、ステップＳ５４の処理をスキップする。
【００６７】
制御部１０は、登録ボタンに対するタッチ操作が行われたか否かに基づいて、入力欄に対する手書き入力の終了を指示されたか否かを判断しており（Ｓ５５）、手書き入力の終了を指示されていないと判断した場合（Ｓ５５：ＮＯ）、ステップＳ５３の処理に戻る。手書き入力の終了を指示されたと判断した場合（Ｓ５５：ＹＥＳ）、制御部１０は、入力欄に対して手書き入力された画像を素材画像として記憶部１１に記憶する（Ｓ５６）。具体的には、制御部（画像データ受付部、記憶制御部）１０は、入力欄に手書き入力された情報を電子データとして取り込み、素材画像データとして記憶部１１に記憶させる。
【００６８】
上述した処理により、上述の登録処理後、又は次に電子白板装置１が起動した場合に、図１４Ｂに示すように、ユーザが任意に登録した素材画像を描画領域１ａに表示する指示を行うためのメニューＭ６がメニュー領域１ａに表示される。なお、図１４Ａには、いちごの画像が素材画像として登録される例を示しており、この場合、図１４Ｂに示すように、いちごメニューＭ６がメニュー領域１ａに表示される。なお、図１４Ｂに示す例では、図３に示した例におけるりんごメニューＭ６に代わっていちごメニューＭ６が表示されているが、登録されている全ての素材画像に対応する全てのメニューをメニュー領域１ａに表示させてもよい。
【００６９】
本実施形態３の電子白板装置１を用いることにより、任意の画像を素材画像として登録することができるので、ユーザが好みの画像を素材画像として登録でき、操作性がより向上する。また、このように任意に登録された素材画像に対しても、ユーザが拡大縮小メニューＭ８を選択操作し、描画領域１ａに対する入力操作にて変倍指示を行うことによって変倍処理の実行が可能である。よって、任意に登録された素材画像も任意の大きさで表示させることができる。
【００７０】
（実施形態４）
以下に、実施形態４に係る電子白板装置について説明する。本実施形態４の電子白板装置は、上述の実施形態１〜３の電子白板装置１と同様の構成を有するので、構成についての説明を省略する。また、本実施形態４の電子白板装置１は、上述の実施形態１〜３の電子白板装置１のそれぞれと同様の処理を行うと共に、以下の処理を行う。
【００７１】
本実施形態４の電子白板装置１は、表示パネル１２ａ（描画領域１ａ）に表示された情報（手書き情報）及び素材画像に対して、消しゴム機能を無効にする（消しゴム処理が行われない）消去不可登録を行うことができる。
以下に、消去不可登録が行われる際に、本実施形態４の電子白板装置１が行う処理について説明する。図１５は、実施形態４の電子白板装置１による処理の手順を示すフローチャートであり、図１６は、実施形態４の電子白板装置１による表示画面例を示す模式図である。
【００７２】
本実施形態４の電子白板装置１において、制御部１０は、消去不可登録を行う指示（消去不可登録指示）を受け付けたか否かを判断する（Ｓ６１）。なお、消去不可登録の指示は、例えば、電子白板装置１の外面の適宜箇所に設けられた消去不可登録ボタン（図示せず）をユーザが操作することによって行われる。また、ユーザが電子白板装置１の外面の適宜箇所に設けられたメニュー表示ボタン（図示せず）を操作することによって、所定のメニュー欄が表示パネル１２ａ（描画領域１ａ）に表示され、このメニュー欄を介して消去不可登録の指示が行われる構成でもよい。
【００７３】
制御部１０は、消去不可登録の指示を受け付けていない場合（Ｓ６１：ＮＯ）、待機し、消去不可登録の指示を受け付けたと判断した場合（Ｓ６１：ＹＥＳ）、描画領域１ａに対する手書き入力の待ち状態となる。ユーザは、消去不可登録の指示を行った後、消去不可登録したい情報（文字、絵等）を描画領域１ａに対して手書き入力する。なお、消去不可登録したい情報の入力が終了した場合に、ユーザは、消去不可登録ボタンを再度操作することによって、消去不可登録したい情報の入力の終了を指示する。
【００７４】
制御部１０は、描画領域１ａに対して手書き入力されたか否かを判断しており（Ｓ６２）、手書き入力されたと判断した場合（Ｓ６２：ＹＥＳ）、手書き入力された情報（手書き情報）を表示制御部１２にて描画領域１ａに表示する（Ｓ６３）。なお、手書き入力されていないと判断した場合（Ｓ６２：ＮＯ）、制御部１０は、ステップＳ６３の処理をスキップする。
【００７５】
制御部１０は、消去不可登録ボタンに対するタッチ操作が行われたか否かに基づいて、手書き入力の終了を指示されたか否かを判断しており（Ｓ６４）、手書き入力の終了を指示されていないと判断した場合（Ｓ６４：ＮＯ）、ステップＳ６２の処理に戻る。手書き入力の終了を指示されたと判断した場合（Ｓ６４：ＹＥＳ）、制御部１０は、描画領域１ａに対して手書き入力された情報（手書き情報）を、消去不可情報として記憶部１１に記憶する（Ｓ６５）。具体的には、制御部（消去不可受付部）１０は、描画領域１ａに手書き入力された情報を電子データとして取り込み、消去不可データとして記憶部１１に記憶させる。
【００７６】
上述した処理により、上述の登録処理後、又は次に電子白板装置１が起動した場合に、図１６に示すように、ユーザが消去不可登録した情報が、常に描画領域１ａに表示される。なお、図１６には、「月  日（  ）」及び「日直」の文字が消去不可登録された例を示しており、このような状態で、消しゴムメニューＭ１１が選択操作され、「月  日（  ）」及び「日直」の文字に対してタッチ操作された場合であっても、これらの文字は消去されない。
よって、本実施形態４の電子白板装置１では、消去不可登録された情報は、消しゴムメニューＭ１１が選択操作されることによって実行される消しゴム機能によって消去されないので、消去したくない情報を消去不可登録しておくことにより利便性が向上する。
【００７７】
（実施形態５）
以下に、実施形態５に係る電子白板装置について説明する。本実施形態５の電子白板装置は、上述の実施形態４の電子白板装置１と同様の構成を有するので、構成についての説明を省略する。また、本実施形態５の電子白板装置１は、上述の実施形態４の電子白板装置１と同様の処理を行うと共に、以下の処理を行う。
【００７８】
本実施形態５の電子白板装置１は、複数の使用モードの切り替えが可能に構成されており、使用モード毎に表示パネル１２ａに表示される画像（表示画面）が異なるように構成されている。例えば、第１モードが選択された場合に、図３に示す表示画面が表示パネル１２ａに表示され、第２モードが選択された場合に、図１７に示す表示画面が表示パネル１２ａに表示されるように構成することができる。図１７は、実施形態５の電子白板装置１による表示画面例を示す模式図である。図１７に示す例では、表示パネル１２ａ（タッチパネル１３ａ）の右下にメニュー領域１ｂが設けてあり、メニュー領域１ｂにはペンメニューＭ１及び消しゴムメニューＭ１１のみが表示されている。また、図１７に示す例では、描画領域１ａの右端に「月  日（  ）」及び「日直」の文字が表示されており、これらの文字は、上述の実施形態４で説明した消去不可登録が行われたものとする。
【００７９】
このような構成により、本実施形態５の電子白板装置１では、例えば、算数の授業を行う際にユーザが第１モードを選択して、表示パネル１２ａの表示画面を図３に示す状態に切り替えることにより、算数の授業に使用される各メニューＭ２〜Ｍ１０を表示させることができ利便性がよい。また、算数の授業以外のときにはユーザが第２モードを選択して、表示パネル１２ａの表示画面を図１７に示す状態に切り替えることにより、使用しないメニューＭ２〜Ｍ１０が表示されず、広い描画領域１ａを確保できる。
【００８０】
なお、各使用モードの選択は、例えば、電子白板装置１の外面の適宜箇所に設けられた使用モード切替ボタン（図示せず）をユーザが操作することによって行われる。また、ユーザが電子白板装置１の外面の適宜箇所に設けられたメニュー表示ボタン（図示せず）を操作することによって、所定のメニュー欄が表示パネル１２ａ（描画領域１ａ）に表示され、このメニュー欄を介して各使用モードの切り替え指示（選択）が行われる構成でもよい。
【００８１】
上述の実施形態１〜５では、表示パネル１２ａの表示画面側（前面側）にタッチパネル１３ａが設けられている構成の電子白板装置１について説明した。このほかに、電子白板装置１は、表示パネル１２ａの背面側にタッチパネル１３ａが設けられた構成でもよく、タッチパネル１３ａ及び表示パネル１２ａが一体に構成されていてもよい。
【００８２】
上述の実施形態１〜５では、本発明に係る表示装置を電子白板装置１に適用した例について説明した。このほかに、本発明に係る表示装置は、画像を表示させる機能、タッチパネル又はペンタブレット等のように手書き入力できる機能等を備えた装置に適用できる。例えば、本発明に係る表示装置は、タブレット型のコンピュータ、スマートフォン、パーソナルコンピュータ、携帯ゲーム機、表示パネルを有する画像形成装置等に適用できる。また、本発明に係る表示装置は、パーソナルコンピュータとの接続が可能であり、パーソナルコンピュータに記憶してあるデータを表示できる電子白板装置にも適用できる。この場合、接続されたパーソナルコンピュータから取得した教材の映像（画像）を表示パネル１２ａに表示させつつ、タッチパネル１３ａを介して手書き入力された情報を表示させることができる。また、電子白板装置１がパーソナルコンピュータとの接続が可能である場合、上述した実施形態１〜５では記憶部１１に記憶してあった表示制御アプリケーションを、パーソナルコンピュータの記憶部（図示せず）に記憶させておいてもよい。そして、パーソナルコンピュータの制御部（図示せず）が表示制御アプリケーションを実行することにより、電子白板装置１の動作を制御し、上述した実施形態１〜５の電子白板装置１の機能を実現するようにしてもよい。このように構成した場合にも、上述した実施形態１〜５の電子白板装置１と同様の効果が得られる。
【００８３】
本発明に係る表示装置（１）は、手書き入力を受け付けるタッチパネル（１３ａ）と、該タッチパネル（１３ａ）が受け付けた手書き入力に係る情報を表示する表示部（１２ａ）とを備える表示装置（１）において、それぞれ異なる複数の素材画像データを記憶するデータ記憶部（１１）と、前記複数の素材画像データからいずれかの選択を受け付ける選択受付部（１０）と、選択された素材画像データを前記データ記憶部（１１）から読み出し、読み出した素材画像データに基づく素材画像を前記表示部（１２ａ）に表示する表示制御部（１２）と、前記表示部（１２ａ）に表示されている素材画像に対する変倍指示を受け付ける変倍受付部（１０）と、該変倍受付部（１０）が受け付けた変倍指示に従って、前記表示部（１２ａ）に表示されている素材画像における素材画像データに変倍処理を行う変倍処理部（１０）とを備え、前記表示制御部（１２）は、前記変倍処理部（１０）にて変倍処理された素材画像データに基づく素材画像を前記表示部（１２ａ）に表示するようにしてあることを特徴とする。
【００８４】
本発明によれば、予め用意してある素材画像データのいずれかが選択された場合に、選択された素材画像データに基づく素材画像が表示部（１２ａ）に表示される。また、表示部（１２ａ）に表示されているいずれかの素材画像に対する変倍指示が行われた場合に、変倍指示された素材画像における素材画像データに変倍処理が行われ、変倍処理された素材画像データに基づく素材画像が表示部（１２ａ）に表示される。よって、タッチパネル（１３ａ）を介して手書き入力された情報が表示パネル（１２ａ）に表示される表示装置（１）において、予め用意された素材画像を表示できると共に、表示された素材画像を任意の大きさに変倍して表示することができる。
【００８５】
本発明に係る表示装置（１）は、前記素材画像データは、物差し、三角定規、分度器、コンパス、方眼紙、五線譜、英語用罫線、及び原稿用紙をそれぞれ表示するための画像データのうちの少なくとも１つを含むことを特徴とする。
【００８６】
本発明によれば、物差し、三角定規、分度器、コンパス、方眼紙、五線譜、英語用罫線、及び原稿用紙をそれぞれ表示するための画像データのうちの少なくとも１つを含む素材画像データが予め用意してある。よって、選択された素材画像データに基づいて、物差し、三角定規、分度器、コンパス、方眼紙、五線譜、英語用罫線、又は原稿用紙の画像を表示部（１２ａ）に表示することができる。これにより、学校及び塾等の教育施設における利便性がよい。
【００８７】
本発明に係る表示装置（１）は、前記表示部（１２ａ）に複数の素材画像が表示されている場合に、表示されている素材画像のいずれかの選択、及び選択された素材画像に行われた変倍処理における変倍率を他の素材画像に反映させる指示を前記タッチパネル（１３ａ）を介して受け付ける指示受付部（１０）を備え、前記変倍処理部（１０）は、前記指示受付部（１０）が選択を受け付けた素材画像における素材画像データに行われた変倍処理を、前記他の素材画像における素材画像データに行うようにしてあることを特徴とする。
【００８８】
本発明によれば、表示部（１２ａ）に表示された各素材画像に対して個別に行われた変倍処理における変倍率を一致させる（統一する）ことができる。よって、表示部（１２ａ）に複数の素材画像が表示されている場合に、任意の素材画像における変倍率を他の素材画像にも適用できるので、各素材画像を見易く表示することができる。
【００８９】
本発明に係る表示装置（１）は、前記表示部（１２ａ）に表示されている素材画像のいずれかの選択、及び選択された素材画像の表示位置を移動させる指示を前記タッチパネル（１３ａ）を介して受け付ける移動受付部（１０）を備え、前記表示制御部（１２）は、前記移動受付部（１０）が選択を受け付けた素材画像の表示位置を、前記移動受付部（１０）が受け付けた指示に応じて変更するようにしてあることを特徴とする。
【００９０】
本発明によれば、表示部（１２ａ）に表示されている素材画像のいずれかに対する選択、選択された素材画像の表示位置を移動させる指示をタッチパネル（１３ａ）を介して受け付ける。よって、選択された素材画像の表示位置が、タッチパネル（１３ａ）を介した移動指示に応じて変更され、任意の位置に素材画像が表示される。
【００９１】
本発明に係る表示装置（１）は、前記素材画像データは、算盤を表示するための画像データを含み、前記表示部（１２ａ）に表示されている算盤に対する操作を前記タッチパネル（１３ａ）を介して受け付ける算盤操作受付部（１０）を備え、前記表示制御部（１２）は、前記算盤操作受付部（１０）が受け付けた操作に基づいて、前記算盤の各珠の表示位置を変更するようにしてあることを特徴とする。
【００９２】
本発明によれば、算盤の画像を表示部（１２ａ）に表示することができ、表示された算盤の画像に対する操作に従って、算盤の各珠を移動させることができる。よって、表示部（１２ａ）に表示された算盤を操作することができる。また、表示された算盤の画像を任意の大きさに変倍して表示することができるので、学校及び塾等の教育施設において算盤の使い方を教える際の利便性がよい。
【００９３】
本発明に係る表示装置（１）は、前記表示部（１２ａ）に表示されている手書き入力に係る情報及び素材画像に対する消去指示を受け付ける消去受付部（１０）と、前記表示部（１２ａ）に表示されている手書き入力に係る情報及び素材画像に対する消去不可指示を受け付ける消去不可受付部（１０）と、前記消去受付部（１０）が消去指示を受け付けた情報及び素材画像を、前記表示部（１２ａ）に表示されている情報及び素材画像から消去する消去部（１０）とを備え、該消去部（１０）は、前記消去不可受付部（１０）が消去不可指示を受け付けた情報及び素材画像を消去しないようにしてあることを特徴とする。
【００９４】
本発明によれば、表示部（１２ａ）に表示されている手書き入力に係る情報又は素材画像に対して消去指示が行われた場合、消去指示された情報又は素材画像が表示部（１２ａ）から消去される。また表示部（１２ａ）に表示されている手書き入力に係る情報又は素材画像に対して消去不可指示が行われた場合、消去不可指示された情報又は素材画像に対して誤って消去指示された場合であっても消去されない。
【００９５】
本発明に係る表示装置（１）は、画像データを受け付ける画像データ受付部（１０）と、該画像データ受付部（１０）が受け付けた画像データを素材画像データとして前記データ記憶部（１１）に記憶する記憶制御部（１０）とを備えることを特徴とする。
【００９６】
本発明によれば、任意の画像データを素材画像データとして登録することができる。よって、教師及び先生等のユーザに応じて任意の素材画像を用意することができ、より利便性を向上させることができる。
【００９７】
今回開示された実施形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。また、各実施形態で記載されている技術的特徴は、互いに組み合わせることが可能である。
【符号の説明】
【００９８】
１  電子白板装置（表示装置）
１０  制御部（選択受付部、変倍受付部、変倍処理部、移動受付部、指示受付部、算盤操作受付部、消去受付部、消去不可受付部、消去部、画像データ受付部、記憶制御部）
１１  記憶部（データ記憶部）
１２  表示制御部
１３  タッチパネル制御部
１２ａ  表示パネル（表示部）
１３ａ  タッチパネル
【図１】
2018037101.tif 000003
【図２】
2018037101.tif 000004
【図３】
2018037101.tif 000005
【図４】
2018037101.tif 000006
【図５】
2018037101.tif 000007
【図６】
2018037101.tif 000008
【図７】
2018037101.tif 000009
【図８】
2018037101.tif 000010
【図９】
2018037101.tif 000011
【図１０】
2018037101.tif 000012
【図１１】
2018037101.tif 000013
【図１２】
2018037101.tif 000014
【図１３】
2018037101.tif 000015
【図１４】
2018037101.tif 000016
【図１５】
2018037101.tif 000017
【図１６】
2018037101.tif 000018
【図１７】
2018037101.tif 000019